(57)【特許請求の範囲】
【請求項１】
車両に乗車した乗員が着座するシートクッションと、
該シートクッションにおける一方の端部側に配置されたシートバックと、
該シートバックの上部に配置されたヘッドレストとを備え、
前記シートクッションに対して起立した起立位置と、前記シートクッションに対面するように前記シートクッションに向けて倒れた倒れ位置とに移行可能に前記シートバックが支持され、
前記シートバックに対して起立した使用位置と、前記シートクッションへ向けて倒れた倒れ位置とに移行可能に前記ヘッドレストがヘッドレスト前倒機構部を介して支持された車両のシート構造であって、
前記シートクッションにおける前記一方の端部に対する反対側の前記シートクッションの端部を、他方の端部とし、
前記一方の端部から前記他方の端部への方向を所定方向として、
前記シートクッションにおける前記他方の端部に、
前記倒れ位置へ移行する前記シートバックと一体的に移動する倒れ位置の前記ヘッドレストを、前記所定方向側へ押圧する押圧部を備え、
前記押圧部よりも車両下方の部分に、倒れ位置の前記ヘッドレストを並置させる前面部を備え、
前記ヘッドレスト前倒機構部に、前記ヘッドレストを前記使用位置から前記倒れ位置へ向けて付勢する付勢手段と、前記ヘッドレストの前倒を規制するロック手段を備え、
前記ヘッドレストが、前記シートバックの前記倒れ位置に向けての倒れ込みの初期から、前記ロック手段による規制の解放により前記ヘッドレストの頭部接触面が車両下方を向く位置まで前倒可能である
車両のシート構造。
【請求項２】
前記所定方向に沿った断面において、前記他方の端部における前記押圧部よりも車両下方の部分を、
前記所定方向、かつ車両下方へ向けて傾斜した形状に形成した
請求項１に記載の車両のシート構造。
【発明の詳細な説明】
【技術分野】
【０００１】
この発明は、例えば、前倒可能に支持されたシートバックと、前倒可能に支持されたヘッドレストとを備え、ヘッドレストを前倒した状態で、シートバックを前倒させるような車両のシート構造に関する。
【背景技術】
【０００２】
自動車などの車両において、乗員が着座するシートは、一般的にシートクッションに対してシートバックが前倒、または後倒可能に支持されている。これにより、車両のシートは、シートバックを乗員が所望する位置に調整でき、車室内における居住性、快適性、及び利便性を確保している。
【０００３】
さらに、車室空間の車両後方と車両後部の荷室空間とがひとつづきに構成された車両（例えば、ミニバンやＳＵＶ等の車両）において、シートバックの背面と荷室内のトランクボードとが連続する平面となるように、最後列に位置するシートのシートバックが前倒可能に構成されたシート構造が知られている。
【０００４】
このような車両のシート構造の場合、シートバックを前倒させると、シートバックの上部に配置したヘッドレストが、前列に位置するシートのシートバックに接触して、シートバックを完全に倒すことができないことがあった。  
さらに、例えば、運転席に着座した乗員がバックミラー越しに車両後方を確認する際、最後列に位置するシートのヘッドレストが車両後方の視界を遮ることがあった。
【０００５】
そこで、シートバックに対してヘッドレストを前倒可能に支持するとともに、ヘッドレストを前倒した状態で、シートバックを前倒させるシート構造が提案されている（特許文献１参照）。
【０００６】
特許文献１のようなシート構造では、ヘッドレストを前倒することで車両後方の視認性を向上するとともに、前列に位置するシートのシートバックに接触することなく、シートバックを前倒させることができる。
【０００７】
一方で、車室内における居住性、快適性を向上する一環として、シートクッションにおける車両前後方向の長さを長くして、シート着座者の座り心地を確保したいというニーズもある。
【０００８】
しかしながら、シートクッションにおける車両前後方向の長さを長くした場合、ヘッドレストを前倒した状態で、シートバックを前倒させると、ヘッドレストがシートクッションに当接して、シートバックを所望する倒れ位置に倒すことができないという問題があった。
【先行技術文献】
【特許文献】
【０００９】
【特許文献１】特開２００７−３０２１４１号公報
【発明の概要】
【発明が解決しようとする課題】
【００１０】
本発明は、上述の問題に鑑み、シートバックの確実な倒伏と、座り心地の向上とを両立できる車両のシート構造を提供することを目的とする。
【課題を解決するための手段】
【００１１】
この発明は、車両に乗車した乗員が着座するシートクッションと、該シートクッションにおける一方の端部側に配置されたシートバックと、該シートバックの上部に配置されたヘッドレストとを備え、前記シートクッションに対して起立した起立位置と、前記シートクッションに対面するように前記シートクッションに向けて倒れた倒れ位置とに移行可能に前記シートバックが支持され、前記シートバックに対して起立した使用位置と、前記シートクッションへ向けて倒れた倒れ位置とに移行可能に前記ヘッドレストがヘッドレスト前倒機構部を介して支持された車両のシート構造であって、前記シートクッションにおける前記一方の端部に対する反対側の前記シートクッションの端部を、他方の端部とし、前記一方の端部から前記他方の端部への方向を所定方向として、前記シートクッションにおける前記他方の端部に、前記倒れ位置へ移行する前記シートバックと一体的に移動する倒れ位置の前記ヘッドレストを、前記所定方向側へ押圧する押圧部を備え、前記押圧部よりも車両下方の部分に、倒れ位置の前記ヘッドレストを並置させる前面部を備え、前記ヘッドレスト前倒機構部に、前記ヘッドレストを前記使用位置から前記倒れ位置へ向けて付勢する付勢手段と、前記ヘッドレストの前倒を規制するロック手段を備え、前記ヘッドレストが、前記シートバックの前記倒れ位置に向けての倒れ込みの初期から、前記ロック手段による規制の解放により前記ヘッドレストの頭部接触面が車両下方を向く位置まで前倒可能であることを特徴とする。
【００１２】
上記シートは、例えば、乗員が車両前方を向いて着座可能なシート、乗員が車両後方を向いて着座可能なシート、あるいは乗員が車両側方を向いて着座可能なシートとすることができる。  
上記シートクッションにおける一方の端部に対する反対側のシートクッションの端部とは、例えば、乗員が車両前方を向いて着座可能なシートの場合における車両前方側の端部、乗員が車両後方を向いて着座可能なシートの場合における車両後方側の端部、あるいは乗員が車両側方を向いて着座可能なシートの場合における車両内側の端部とすることができる。  
上記所定方向は、例えば、乗員が車両前方を向いて着座可能なシートの場合における車両前方、乗員が車両後方を向いて着座可能なシートの場合における車両後方、あるいは乗員が車両側方を向いて着座可能なシートの場合における車両側方とすることができる。
【００１３】
この発明により、シートバックの確実な倒伏と、座り心地の向上とを両立することができる。  
具体的には、シートクッションにヘッドレストを押圧する押圧部を備えたことにより、車両のシート構造は、シートバックが起立位置から倒れ位置に倒伏する際、シートクッションに接触したヘッドレストを倒れ位置から使用位置に向けて押し戻すことができる。
【００１４】
つまり、車両のシート構造は、シートクッションにおける他方の端部よりも所定方向側にヘッドレストが並置されるように、押圧部がヘッドレストを案内しながらシートバックを倒伏することができる。
【００１５】
これにより、車両のシート構造は、ヘッドレストとシートクッションとの当接によって、シートバックの起立位置から倒れ位置への倒伏が阻害されることを防止できる。このため、車両のシート構造は、シートクッションとシートバックとが近接して対面する位置まで、シートバックを容易に倒伏することができる。
【００１６】
さらに、押圧部がヘッドレストを押圧して押し戻すため、車両のシート構造は、例えば、ヘッドレストの位置を調整しながらシートバックを倒すことを不要にでき、乗員による操作を必要最小限に抑えてシートバックを倒伏することができる。
【００１７】
加えて、シートクッションにおける他方の端部よりも所定方向側にヘッドレストを案内できるため、車両のシート構造は、倒れ位置のヘッドレストが当接しない程度の所定方向の長さに形成したシートクッションに比べて、シートクッションにおける所定方向の長さを容易に長くすることができる。例えば、倒れ位置にヘッドレストが位置する状態で、シートバックを完全に倒伏可能な所定方向の長さを有するシートクッションに比べて、車両のシート構造は、シートクッションにおける所定方向の長さを容易に長くすることができる。
【００１８】
そして、シートクッションとヘッドレストとが所定方向に並置されるように、シートバックを倒伏できるため、例えば、ミニバンやＳＵＶなどの車両において、車両のシート構造は、荷室内のトランクボードを所定方向に延設したような平面を、倒れ位置に位置するシートバックで容易に構成することができる。
【００１９】
従って、車両のシート構造は、倒れ位置のヘッドレストを押圧する押圧部をシートクッションに備えたことにより、シートバックの確実な倒伏と、座り心地の向上とを両立することができる。
【００２０】
上記付勢手段は、例えば、コイルスプリング、及びコイルスプリングを支持する支持部材などで構成され、シートバック、またはヘッドレストに配置することができる。
【００２１】
ヘッドレストが付勢手段によって付勢されているため、車両のシート構造は、シートバックが倒れる過程において、ヘッドレストがシートバックに対して揺動することを防止できる。
【００２２】
これにより、車両のシート構造は、シートバックの倒伏に伴いヘッドレストが揺動する場合に比べて、ヘッドレストが描く最も外側の移動軌跡をより小さくすることができる。このため、車両のシート構造は、シートバックを倒伏させるのに必要な空間を最小限に抑えて、車室内の限られた空間を有効に活用することができる。
【００２３】
さらに、倒れ位置にシートバックが位置する状態において、付勢手段は、所定方向とは逆向きの略逆方向へヘッドレストを付勢することができる。このため、ヘッドレストは、付勢手段の付勢力によってシートクッションを押圧しながら、シートクッションに密着することができる。
【００２４】
これにより、車両のシート構造は、倒れ位置にシートバックが位置する状態において、ヘッドレストとシートクッションとの摺動抵抗を増加することができ、例えば、路面の凹凸などによるシートバックの揺動をも抑制することができる。
【００２５】
このため、例えば、ミニバンやＳＵＶなどの車両において、車両のシート構造は、荷室の床面と連続するシートバックの背面に載置した荷物が、シートバックの揺動によって転倒する、あるいは荷崩れすることを防止できる。
【００２６】
従って、車両のシート構造は、ヘッドレストを付勢する付勢手段を備えたことにより、倒れ位置のシートバックをヘッドレストによって保持して、シートバックの揺動をも抑制することができる。
【００２７】
またこの発明の態様として、前記所定方向に沿った断面において、前記他方の端部における前記押圧部よりも車両下方の部分を、前記所定方向、かつ車両下方へ向けて傾斜した形状に形成することができる。  
この発明により、車両のシート構造は、座り心地の向上を図るとともに、起立位置へのシートバックの移行を容易にすることができる。
【００２８】
具体的には、他方の端部における押圧部よりも車両下方の部分を、所定方向、かつ車両下方へ向けて傾斜した形状に形成しているため、シートクッションに乗員が着座した際、他方の端部と乗員の下腿とを近接させることができる。
【００２９】
つまり、シートクッションにおける他方の端部は、着座した乗員の下腿を車両下方から支持することができる。これにより、車両のシート構造は、シートの座り心地の向上を図ることができる。
【００３０】
さらに、例えば、他方の端部における押圧部よりも車両下方の部分を、所定方向とは逆方向、かつ車両下方へ向けて傾斜した形状に形成した場合、シートバックを倒れ位置に倒伏させると、押圧部よりも車両下方の部分にヘッドレストが潜り込むように位置することになる。換言すると、シートクッションにヘッドレストが係合するように、押圧部よりも車両下方の部分にヘッドレストが位置することになる。
【００３１】
このため、例えば、使用位置から倒れ位置に向けてヘッドレストを付勢する付勢手段を備えた場合、付勢手段の付勢力によって、ヘッドレストがシートクッションに係止された状態となり、シートクッションにヘッドレストが引っ掛かって、シートバックを起立位置に容易に戻せないおそれがあった。
【００３２】
これに対して、他方の端部における押圧部よりも車両下方の部分を、所定方向、かつ車両下方へ向けて傾斜した形状に形成しているため、シートクッションにおける他方の端部に、ヘッドレストが潜り込むようなスペースが形成されることがない。
【００３３】
このため、例えば、ヘッドレストが付勢手段によって付勢されている場合であっても、車両のシート構造は、シートクッションにおける他方の端部に、ヘッドレストが係止された状態になることを防止できる。これにより、車両のシート構造は、付勢手段を備えた場合であっても、倒れ位置から起立位置へのシートバックの移行を容易にすることができる。
【００３４】
従って、車両のシート構造は、他方の端部における押圧部よりも車両下方の部分を、所定方向、かつ車両下方へ向けて傾斜した形状に形成したことにより、座り心地の向上を図るとともに、起立位置へのシートバックの移行を容易にすることができる。
【発明の効果】
【００３５】
本発明により、シートバックの確実な倒伏と、座り心地の向上とを両立できる車両のシート構造を提供することができる。
【図面の簡単な説明】
【００３６】
【図１】車両の最後列に位置する後列シートの外観を示す外観斜視図。
【図２】車両前後方向に沿った断面における後列シートの側面視を示す側面図。
【図３】ヘッドレスト前倒機構部を示す要部拡大図。
【図４】ヘッドレストが前倒位置に位置する状態の後列シートを示す側面図。
【図５】シートバックを前倒開始した状態の後列シートを示す側面図。
【図６】ヘッドレストが押圧された状態の後列シートを示す側面図。
【図７】シートバックが前倒位置に位置する状態の後列シートを示す側面図。
【発明を実施するための形態】
【００３７】
この発明の一実施形態を以下図面と共に説明する。  
本実施形態における車両１のシート構造について、図１から図４を用いて詳しく説明する。
【００３８】
なお、図１は車両１の最後列に位置する後列シート１０の外観斜視図を示し、図２は車両前後方向に沿った断面における後列シート１０の側面図を示し、図３はヘッドレスト前倒機構部１６の要部拡大図を示し、図４はヘッドレスト１３が前倒位置に位置する状態の後列シート１０の側面図を示している。
【００３９】
また、本実施形態における要部の図示を明確にするため、図２中において車両中央フレーム１１２の図示を省略し、図３中において車両左側のヘッドレスト前倒機構部１６を図示している。
【００４０】
また、図中において、矢印Ｆｒ及びＲｒは車両前後方向を示しており、矢印Ｆｒは車両前方を示し、矢印Ｒｒは車両後方を示している。さらに、矢印Ｒｈ及びＬｈは車幅方向を示しており、矢印Ｒｈは車両右方向を示し、矢印Ｌｈは車両左方向を示している。加えて、図中の上方を車両上方とし、図中の下方を車両下方とする。
【００４１】
本実施形態における車両１は、例えば、ワゴンタイプやＳＵＶなどのように、車室空間の車両後方と車両後部の荷室空間とがひとつづきに構成された車両である。  
この車両１における車両後部は、図１及び図２に示すように、車両前後方向に延びる左右一対のサイドフレーム２と、サイドフレーム２の間に配置されるとともに、サイドフレーム２の上面部分に接合されたフロアパネル３とで、車室、及び荷室における床面を構成している。
【００４２】
さらに、左右一対のサイドフレーム２は、後輪（図示省略）が収容されるリヤホイールハウス４の車両前方側において、車幅方向に延びるクロスメンバ５によって連結している。  
クロスメンバ５は、車両前後方向に沿った断面において、フロアパネル３の上方に位置する断面略ハット状のアッパパネル５ａと、フロアパネル３の下方に位置する断面略ハット状のロアパネル５ｂとを、フロアパネル３を挟んで車両上下方向で接合して閉断面形状に形成している。
【００４３】
加えて、車両１の車両後部には、図１及び図２に示すように、フロアパネル３の後部に載置固定されたスペアタイヤ６と、スペアタイヤ６の車両上方を覆うように敷設した着脱自在のトランクマット７と、トランクマット７よりも車両上方に敷設した着脱自在のトランクボード８とを備えている。
【００４４】
なお、トランクボード８は、車両上下方向において、リヤハッチ（図示省略）で覆われる開口の下縁である開口下縁部９と略同位置に配置している。  
このような車両１の車両後部には、図１及び図２に示すように、車両１に乗車した乗員が着座する後列シート１０が、トランクボード８よりも車両前方側の床面に、シートフレーム１１を介して載置固定されている。
【００４５】
なお、後列シート１０は、車両前後方向において、クロスメンバ５の前端と略同位置に前端を有するとともに、車両１に乗り込んだ２名の乗員が車両前方を向いて着座可能な二人掛けシートである。
【００４６】
詳述すると、後列シート１０は、図１及び図２に示すように、車幅方向に近接配置した２つのシートバック１２と、シートバック１２にそれぞれ支持された２つのヘッドレスト１３と、車幅方向に近接配置した２つのシートクッション１４と、これらを支持するシートフレーム１１とで構成している。
【００４７】
シートフレーム１１は、図１及び図２に示すように、車両右側のサイドフレーム２に固定された右側フレーム１１１と、車幅方向略中央において、前端がクロスメンバ５に固定された中央フレーム１１２と、車両左側のサイドフレーム２に固定された左側フレーム１１３と、右側フレーム１１１、中央フレーム１１２、及び左側フレーム１１３を車幅方向で連結する連結フレーム１１４とで構成している。
【００４８】
このシートフレーム１１は、中央フレーム１１２と右側フレーム１１１とで、車両右側に配置されたシートバック１２、及びシートクッション１４を支持している。さらに、シートフレーム１１は、中央フレーム１１２と左側フレーム１１３とで、車両左側に配置されたシートバック１２、及びシートクッション１４を支持している。
【００４９】
右側フレーム１１１は、シートバック１２を支持する支持ブラケットと、支持ブラケットの後端、及びサイドフレーム２を連結する固定ブラケットとを一体的に接合して構成している。  
左側フレーム１１３は、右側フレーム１１１に対して左右対称形状のため、その詳細な説明を省略する。
【００５０】
中央フレーム１１２は、詳細な図示を省略するが、左側フレーム１１３、及び右側フレーム１１１と略同一形状で、２つのシートバック１２を支持する支持ブラケットと、支持ブラケットの前端、及びクロスメンバ５の前面を連結する固定ブラケットとで一体的に構成している。
【００５１】
連結フレーム１１４は、図２に示すように、車両前後方向に沿った断面が断面閉断面形状であって、左側フレーム１１３の下部、中央フレーム１１２の下部、及び右側フレーム１１１の下部を一体的に連結している。
【００５２】
なお、本実施形態では、説明を容易にするため、右側フレーム１１１の支持ブラケット、左側フレーム１１３の支持ブラケット、及び中央フレーム１１２の支持ブラケットを、シートフレーム１１の支持ブラケット１１５として説明する。
【００５３】
また、シートバック１２は、円筒状のパイプ部材を屈曲して形成した正面視略矩形のシートバックフレーム１２１や、シートバックフレーム１２１を囲繞するスポンジ部材（図示省略）などで構成され、その背面１２２が略平面状に形成されている。
【００５４】
このシートバック１２は、乗員の背中が接触する背部接触面１２３が車両前方を向くとともに、下端に対して上端が車両後方に位置するように傾けた状態で配置されている。この状態におけるシートバック１２の位置を、シートクッション１４に対して起立した起立位置とする。
【００５５】
さらに、シートバック１２の背部接触面１２３側には、図１に示すように、車幅方向に所定間隔を隔てるとともに、車両上下方向に延びる２つのスリット１２４を開口形成している。このスリット１２４は、後述するヘッドレスト１３が前倒した際、ヘッドレストフレーム１３１を挿通可能に形成している。
【００５６】
このような構成のシートバック１２は、シートバック前倒機構部を介して、シートフレーム１１に前倒可能に支持されている。  
シートバック前倒機構部は、詳細な図示を省略するが、車両後方側に内蔵したシートバックフレーム１２１の下端に設けた左右一対の連結ブラケット１２５と、連結ブラケット１２５を前倒可能に支持するシートフレーム１１の支持ブラケット１１５と、シートバック１２の前倒を規制するロック機構などで構成している。
【００５７】
このシートバック前倒機構部は、シートバック１２の背面１２２に設けた操作レバー（図示省略）が乗員によって操作されると、ロック機構によるシートバック１２の前倒を規制した状態が解放されるように構成している。
【００５８】
さらに、シートバック前倒機構部は、シートフレーム１１の支持ブラケット１１５とシートバック１２の連結ブラケット１２５との連結箇所であるシートバック連結箇所１５を回転中心として、シートバック１２の背部接触面１２３がシートクッション１４の上面に当接する位置まで、前倒可能に構成している（図７参照）。この状態におけるシートバック１２の位置を前倒位置とする。
【００５９】
なお、シートバック連結箇所１５は、前倒位置において、シートバック１２の背面１２２と、トランクボード８の上面とが連続した略平面となる車両前後方向、及び車両上下方向の位置で連結している。
【００６０】
また、ヘッドレスト１３は、図２及び図３に示すように、円筒状のパイプ部材を屈曲して形成するとともに、その下端がシートバック１２に埋没する車両上下方向長さを有する正面視略門型形状のヘッドレストフレーム１３１や、ヘッドレストフレーム１３１を囲繞するスポンジ部材（図示省略）などで構成している。
【００６１】
さらに、ヘッドレスト１３は、乗員の頭部が接触する頭部接触面１３２が、側面視において、車両前方へ突出するように湾曲した形状に形成している。  
なお、ヘッドレスト１３は、起立位置のシートバック１２の上部に対して、頭部接触面１３２が車両前方を向いた状態で配置されている。この状態におけるヘッドレスト１３の位置を、使用位置とする。
【００６２】
このような構成のヘッドレスト１３は、ヘッドレスト前倒機構部１６を介して、シートバック１２のシートバックフレーム１２１に前倒可能に支持されている。  
ヘッドレスト前倒機構部１６は、図２及び図３に示すように、ヘッドレストフレーム１３１の下端同士を車幅方向に連結する連結部材１６１と、シートバックフレーム１２１の上部に設けるとともに、連結部材１６１を回転自在に支持する左右一対のシートバック側ブラケット１６２と、連結部材１６１の前倒を規制するロック機構１６３と、連結部材１６１を介してヘッドレストフレーム１３１を車両前方側へ付勢する付勢部材１６４とで構成している。
【００６３】
このヘッドレスト前倒機構部１６は、シートバック１２の背面１２２に設けた操作レバーが乗員によって操作されると、ロック機構１６３による連結部材１６１の前倒を規制した状態が解放されるように構成している。
【００６４】
さらに、ヘッドレスト前倒機構部１６は、図４に示すように、連結部材１６１とシートバック側ブラケット１６２との連結箇所であるヘッドレスト連結箇所１６５を回転中心として、ヘッドレスト１３の頭部接触面１３２が車両下方を向く位置まで、前倒可能に構成している。この状態におけるヘッドレスト１３の位置を前倒位置とする。
【００６５】
より詳しくは、連結部材１６１は、図３に示すように、車両前方側に平面を有する略平板状の連結前部１６１ａと、連結前部１６１ａの上端から車両後方へ略直角に延設した略平板状の連結上部１６１ｂと、連結前部１６１ａにおける車幅方向の両端から車両後方へ延設した連結側部１６１ｃとで一体形成している。
【００６６】
さらに、連結前部１６１ａの背面における車幅方向の略中央には、連結前部１６１ａとで付勢部材１６４を挟持する押え部材１６６を備えている。この押え部材１６６は、車幅方向に延びる略棒状材の一端が連結前部１６１ａに固定され、他端が連結前部１６１ａに対して所定間隔だけ離間した形状に形成している。
【００６７】
左右一対のシートバック側ブラケット１６２は、図３に示すように、車幅方向に所定間隔を隔てて、シートバックフレーム１２１の車両前方側に溶着固定されている。さらに、シートバック側ブラケット１６２は、ヘッドレスト１３が車両前方側へ約９０度前倒すると、ヘッドレストフレーム１３１と当接して、ヘッドレスト１３の前倒を規制するように構成している。
【００６８】
なお、ヘッドレスト連結箇所１６５は、図４に示すように、使用位置におけるヘッドレスト１３の背面１３３が、前倒位置において、シートバック１２の上端と車両上下方向で略同位置となる車両前後方向、及び車両上下方向の位置で連結している。
【００６９】
ロック機構１６３は、図３に示すように、操作ケーブル１６７を介して操作レバーに連結された入力カム１６３ａや、入力カム１６３ａに噛合した複数のカム部材などで構成している。このロック機構１６３は、乗員によって操作レバーが操作されると、操作ケーブル１６７によって入力カム１６３ａが回動して、ヘッドレスト１３の前倒を規制した状態を解放するように構成している。
【００７０】
付勢部材１６４は、使用位置に位置するヘッドレスト１３を、車両前方側へ付勢するように構成している。  
より詳しくは、付勢部材１６４は、図３に示すように、弾性を有する金属製線状体を所定の巻き数で巻き回したコイルスプリングで構成している。この付勢部材１６４は、連結部材１６１と押え部材１６６の間に、巻き回した部分を挿入して装着している。
【００７１】
さらに、付勢部材１６４は、シートバックフレーム１２１の上部における車幅方向略中央に設けた係止ブラケット１６８に一端を係止し、連結部材１６１の連結上部１６１ｂにおける後端に他端を係止している。
【００７２】
また、シートクッション１４は、クッション材としてスポンジ部材やスポンジ部材を支持する支持部材などで構成し、後部に対して前部が車両上下方向に厚肉となる形状に形成している。このシートクッション１４は、起立位置におけるシートバック１２の下端の下方に、その後部が位置するようにシートフレーム１１に支持されている。
【００７３】
より詳しくは、シートクッション１４は、図１及び図２に示すように、側面視において、連結フレーム１１４に載置される後端近傍から車両前方上方へ傾斜するとともに、乗員の臀部が接触する上面部１４１と、上面部１４１の前端から車両前方下方へ湾曲した湾曲面部１４２と、湾曲面部１４２から車両前方下方へ傾斜した前面部１４３とを有する形状に形成している。
【００７４】
さらに、シートクッション１４は、図４に示すように、前倒位置のヘッドレスト１３が、シートバック連結箇所１５を回転中心として車両前方下方へ回動した際における頭部接触面１３２側の回動軌跡Ｒと、湾曲面部１４２とが交差する車両前後方向の長さに形成している。
【００７５】
次に、上述した構成の後列シート１０において、起立位置のシートバック１２を、前倒位置へ前倒する工程について、図５から図７を用いて詳しく説明する。  
なお、図５はシートバック１２を前倒開始した状態の後列シート１０の側面図を示し、図６はヘッドレスト１３が押圧された状態の後列シート１０の側面図を示し、図７はシートバック１２が前倒位置に位置する状態の後列シート１０の側面図を示している。
【００７６】
まず、図２に示すように、後列シート１０のシートバック１２が起立位置に位置するとともに、ヘッドレスト１３が使用位置に位置する状態において、乗員がシートバック１２の操作レバーを操作すると、ヘッドレスト前倒機構部１６のロック機構１６３は、ヘッドレスト１３の前倒を規制した状態を解放する。
【００７７】
そして、ロック機構１６３による前倒の規制が解放されると、ヘッドレスト１３は、図４に示すように、付勢部材１６４の付勢力によって、ヘッドレスト連結箇所１６５を回転中心として、車両前方下方へ回動開始する。
【００７８】
その後、車両前方下方へ約９０度回動して、シートバックフレーム１３１がシートバック側ブラケット１６２に当接すると、ヘッドレスト１３の回動が規制され、ヘッドレスト１３は、図４に示すように前倒位置に到達する。
【００７９】
引き続き、乗員が操作レバーを操作すると、シートバック前倒機構部のロック機構は、シートバック１２の前倒を規制した状態を解放する。そして、操作レバーを操作した乗員が、シートバック１２を車両前方側へ押圧すると、シートバック１２は、図５に示すように、シートバック連結箇所１５を回転中心として、車両前方下方へ回動開始する。
【００８０】
この際、ヘッドレスト１３は、付勢部材１６４の付勢力によって、前倒位置に位置する状態が維持されながら、シートバック連結箇所１５を回転中心として移動するように回動する。
【００８１】
そして、前倒位置に位置するヘッドレスト１３の回動軌跡Ｒと交差する位置に湾曲面部１４２を形成しているため、シートバック１３が所定角度だけ回動すると、ヘッドレスト１３の頭部接触面１３２が、シートクッション１４の湾曲面部１４２に接触する。
【００８２】
ヘッドレスト１３が接触すると、湾曲面部１４２は、シートバック１２の自重、及び回転慣性による車両前方下方への荷重を、その湾曲した形状によって、車両前方上方への荷重に変換して、ヘッドレスト１３を押圧開始する。つまり、ヘッドレスト１３が接触すると、湾曲面部１４２は、ヘッドレスト１３が接触した際の反力によって、ヘッドレスト１３を付勢部材１６４の付勢力に抗して車両前方側へ押圧開始する。
【００８３】
湾曲面部１４２がヘッドレスト１３を押圧開始すると、ヘッドレスト１３は、図６に示すように、頭部接触面１３２が湾曲面部１４２と摺動しながら、使用位置に押し戻されるように車両前方上方へ向けて回動する。
【００８４】
このため、シートバック１２は、湾曲面部１４２とヘッドレスト１３との当接によって回動が規制されることなく、さらに車両前方下方へ向けて回動する。この際、ヘッドレスト１４は、湾曲面部１４２の湾曲した形状と、湾曲面部１４２からの押圧によって、前面部１４３の車両前方側に案内されるように回動する。
【００８５】
その後、シートクッション１４の上面部１４１に背部接触面１２３が当接すると、シートバック１２の回動が規制され、シートバック１２は、図７に示すように前倒位置に到達する。  
この際、ヘッドレスト１３は、付勢部材１６４による付勢力によって、前面部１４３を車両後方上方側へ押圧した状態で、前面部１４３の車両前方側に位置する。
【００８６】
このようにして、車両１は、トランクボード８を車両前方へ延設したような平面を、前倒位置に到達したシートバック１２の背面１２２とトランクボード８とで構成して、後列シート１０の前倒を完了する。
【００８７】
以上のような動作を実現する車両１のシート構造は、シートバック１２の確実な前倒と、座り心地の向上とを両立することができる。  
具体的には、シートクッション１４にヘッドレスト１３を押圧する湾曲面部１４２を備えたことにより、車両１のシート構造は、シートバック１２が起立位置から前倒位置に倒伏する際、シートクッション１４に接触したヘッドレスト１３を前倒位置から使用位置に向けて押し戻すことができる。
【００８８】
つまり、車両１のシート構造は、シートクッション１４の前部よりも車両前方側にヘッドレスト１３が並置されるように、湾曲面部１４２がヘッドレスト１３を案内しながらシートバック１２を倒伏することができる。
【００８９】
これにより、車両１のシート構造は、ヘッドレスト１３とシートクッション１４との当接によって、起立位置から前倒位置へのシートバック１２の倒伏が阻害されることを防止できる。このため、車両１のシート構造は、シートクッション１４とシートバック１２とが当接する位置まで、シートバック１２を容易に倒伏することができる。
【００９０】
さらに、湾曲面部１４２がヘッドレスト１３を押圧して押し戻すため、車両１のシート構造は、例えば、ヘッドレスト１３の位置を調整しながらシートバック１２を倒すことを不要にでき、乗員による操作を必要最小限に抑えてシートバック１２を倒伏することができる。
【００９１】
加えて、シートクッション１４の前部よりも車両前方側にヘッドレスト１３を案内できるため、車両１のシート構造は、前倒位置のヘッドレスト１３が当接しない程度の車両前後方向の長さに形成したシートクッションに比べて、シートクッション１４における車両前後方向の長さを容易に長くすることができる。例えば、前倒位置にヘッドレスト１３が位置する状態で、シートバック１２を完全に倒伏可能な車両前後方向の長さを有するシートクッションに比べて、車両１のシート構造は、シートクッション１４における車両前後方向の長さを容易に長くすることができる。
【００９２】
そして、シートクッション１４とヘッドレスト１３とが車両前後方向に並置されるように、シートバック１２を倒伏できるため、車両１のシート構造は、荷室内のトランクボード８を車両前方に延設したような平面を、前倒位置に位置するシートバック１２で容易に構成することができる。
【００９３】
従って、車両１のシート構造は、前倒位置のヘッドレスト１３を押圧する湾曲面部１４２をシートクッション１４に備えたことにより、シートバック１２の確実な前倒と、座り心地の向上とを両立することができる。
【００９４】
また、ヘッドレスト１３を付勢する付勢部材１６４を備えたことにより、車両１のシート構造は、前倒位置のシートバック１２をヘッドレスト１３によって保持して、シートバック１２の揺動を抑制することができる。
【００９５】
具体的には、付勢部材１６４によってヘッドレスト１３が付勢されているため、車両１のシート構造は、シートバック１２が前倒する過程において、ヘッドレスト１３がシートバック１２に対して揺動することを防止できる。
【００９６】
これにより、車両１のシート構造は、シートバック１２の前倒に伴いヘッドレストが揺動する場合に比べて、ヘッドレスト１３が描く最も外側の移動軌跡をより小さくすることができる。このため、車両１のシート構造は、シートバック１２を前倒させるのに必要な空間を最小限に抑えて、車室内の限られた空間を有効に活用することができる。
【００９７】
さらに、前倒位置にシートバック１２が位置する状態において、付勢部材１６４は、ヘッドレスト１３を車両後方上方側へ付勢することができる。このため、ヘッドレスト１３は、付勢部材１６４の付勢力によってシートクッション１４を押圧しながら、シートクッション１４に密着することができる。
【００９８】
これにより、車両１のシート構造は、前倒位置にシートバック１２が位置する状態において、ヘッドレスト１３とシートクッション１４との摺動抵抗を増加することができ、例えば、路面の凹凸などによるシートバック１２の揺動を抑制することができる。
【００９９】
このため、車両１のシート構造は、荷室の床面と連続するシートバック１２の背面に載置した荷物が、シートバック１２の揺動によって転倒する、あるいは荷崩れすることを防止できる。  
従って、車両１のシート構造は、ヘッドレスト１３を付勢する付勢部材１６４を備えたことにより、前倒位置のシートバック１２をヘッドレスト１３によって保持して、シートバック１２の揺動を抑制することができる。
【０１００】
また、車両前方、かつ車両下方へ向けて傾斜した形状にシートクッション１４の前面部１４３を形成したことにより、車両１のシート構造は、座り心地の向上を図るとともに、起立位置へのシートバック１２の移行を容易にすることができる。
【０１０１】
具体的には、車両前方、かつ車両下方へ向けて傾斜した形状に前面部１４３を形成しているため、シートクッション１４に乗員が着座した際、前面部１４３と乗員の下腿とを近接させることができる。
【０１０２】
つまり、シートクッション１４の前面部１４３は、着座した乗員の下腿を車両下方から支持することができる。これにより、車両１のシート構造は、シートの座り心地の向上を図ることができる。
【０１０３】
さらに、例えば、前面部を車両後方、かつ車両下方へ向けて傾斜した形状に形成した場合、シートバック１２を前倒位置に倒伏させると、前面部にヘッドレスト１３が潜り込むように位置することになる。換言すると、シートクッション１４に係合するようにヘッドレスト１３が位置することになる。
【０１０４】
このため、付勢部材１６４の付勢力によって、ヘッドレスト１３がシートクッション１４に係止された状態となり、シートクッション１４にヘッドレスト１３が引っ掛かって、シートバック１２を起立位置に容易に戻せないおそれがあった。
【０１０５】
これに対して、前面部１４３を、車両前方、かつ車両下方へ向けて傾斜した形状に形成しているため、シートクッション１４の前部にヘッドレスト１３が潜り込むようなスペースが形成されることがない。
【０１０６】
このため、車両１のシート構造は、シートクッション１４の前部に、ヘッドレスト１３が係止された状態になることを防止できる。これにより、車両１のシート構造は、付勢部材１６４を備えた場合であっても、前倒位置から起立位置へのシートバック１２の移行を容易にすることができる。
【０１０７】
従って、車両１のシート構造は、車両前方、かつ車両下方へ向けて傾斜した形状に前面部１４３を形成したことにより、座り心地の向上を図るとともに、起立位置へのシートバック１２の移行を容易にすることができる。
【０１０８】
この発明の構成と、上述の実施形態との対応において、
この発明のシートクッションにおける一方の端部は、実施形態のシートクッション１４の後部に対応し、
以下同様に、
倒れ位置は、前倒位置に対応し、
他方の端部は、シートクッション１４の前部に対応し、
所定方向は、車両前方に対応し、
押圧部は、湾曲面部１４２に対応し、
付勢手段は、付勢部材１６４に対応し、
他方の端部における押圧部よりも車両下方の部分は、前面部１４３に対応するが、
この発明は、上述の実施形態の構成のみに限定されるものではなく、多くの実施の形態を得ることができる。
【０１０９】
例えば、上述した実施形態において、乗員が車両前方を向いて着座する後列シート１０としたが、これに限定せず、乗員が車両後方を向いて着座するシート、乗員が車両側方を向いて着座するシート、あるいは乗員が車両前後方向に対して斜めに着座するシートであってもよい。
【０１１０】
また、車両１の後部に配置した後列シート１０としたが、これに限定せず、例えば、３列シートの車両における中列シート、あるいは助手席であってもよい。もしくは、車室や荷室に配置される折り畳み可能な補助シートなどであってもよい。
【０１１１】
また、シートフレーム１１によってシートバック１２を支持する後列シート１０としたが、これに限定せず、シートクッション１４に内蔵したフレーム部材、及びシートバック前倒機構部によってシートバック１２を支持する構成としてもよい。
【０１１２】
また、付勢部材１６４をコイルスプリングで構成したが、これに限定せず、ヘッドレスト１３を付勢可能であれば、適宜の構成としてもよい。例えば、ロック機構１６３にヘッドレスト１３を付勢する付勢手段を設けてもよい。
【０１１３】
また、シートバック前倒機構部を、シートバック連結箇所１５を回転中心として、シートバック１２を前倒させる構成としたが、これに限定せず、前倒位置にシートバック１２を倒伏可能であれば適宜の構成のシートバック前倒機構部としてもよい。例えば、車両上方側へスライドさせたシートバック１２を前倒する構成としてもよい。あるいは複数の回転軸を有するシートバック前倒機構部としてもよい。
【０１１４】
また、ヘッドレスト前倒機構部１６を、ヘッドレスト連結箇所１６５を回転中心として、ヘッドレスト１３を前倒させる構成としたが、これに限定せず、前倒位置にヘッドレスト１３を倒伏可能であれば適宜の構成のヘッドレスト前倒機構部１６としてもよい。例えば、車両上方側へスライド移動させたヘッドレスト１３を前倒する構成としてもよい。あるいは、複数の回転軸を有するヘッドレスト前倒機構部としてもよい。
【符号の説明】
【０１１５】
１…車両
１２…シートバック
１３…ヘッドレスト
１４…シートクッション
１４２…湾曲面部
１４３…前面部
１６４…付勢部材
【図１】
0006376097.tif 000002
【図２】
0006376097.tif 000003
【図３】
0006376097.tif 000004
【図４】
0006376097.tif 000005
【図５】
0006376097.tif 000006
【図６】
0006376097.tif 000007
【図７】
0006376097.tif 000008